(57)【要約】      （修正有）【課題】場所をとらず、組立てが簡単で且つコストが低いオフィス設備の伝動機構を提供する。【解決手段】オフィス設備の伝動機構は、凸塊を設置した基台、基台上に設置した駆動装置、伝動ユニット及び引っ張り車輪を含む。伝動ユニットは、追動車輪、駆動装置上に設置した主動車輪及び追動車輪と主動車輪上にかけるベルトを含む。引っ張り車輪は外輪、内輪、スラストバネを含む。内輪上に滑動槽を設置し、凸塊は滑動槽内に嵌合する。スラストバネは滑動槽内に設置してその一端は滑動槽の槽壁で押さえ、別一端は凸塊で押さえる。内輪は凸塊に相対して滑動し、外輪は内輪上に設置し内輪に相対して回転する。作業時、内輪はスラストバネの弾力で伝動ユニットの方向に移動し、外輪はベルト上で押さえ、内輪に相対して回転してベルトを引っ張り、追動車輪を回転させる。【選択図】図２
0003151917.tif 000002
【実用新案登録請求の範囲】
【請求項１】
オフィス設備の伝動機構において、
凸塊を凸設する基台と、
基台上に設置する駆動装置と、
基台上に設置し、追動車輪、主動車輪及び追動車輪と主動車輪にかけるベルトを含み、主動車輪は駆動装置に設置する伝動ユニットと、
基台上に設置し、外輪、外輪内に設置する内輪、及びスラストバネを含み、内輪には滑動槽を設置し、凸塊は滑動槽内に設置し、内輪は凸塊に相対して滑動し、スラストバネは滑動槽内に設置し、その一端は滑動槽の槽壁で押さえ、別一端は凸塊で押さえ、外輪はベルトで押さえて内輪に相対して回転する引っ張り車輪を含むことを特徴とするオフィス設備の伝動機構。
【請求項２】
前記外輪は、環状柱のスリーブを備え、内輪は円柱状の主体部を備え、主体部では直径方向に沿って滑動槽が成形され、内輪の主体部は外輪のスリーブ内で嵌合し、滑動槽の一端の槽壁上には凸柱が凸設され、スラストバネは凸柱上にかけることを特徴とする請求項１記載のオフィス設備の伝動機構。
【請求項３】
前記スリーブは、その一端が内向きに円環状の筒縁が延び、スリーブの外側は外向きに円環状の持ち手が凸設され、主体部の一端は外向きに伸びて円環状の持ち手を形成し、ベルトは持ち手と停止部の間に位置することを特徴とする請求項２記載のオフィス設備の伝動機構。
【請求項４】
前記凸塊は、固定孔を穿設、張力バネは固定部品を含み、固定部品は滑動槽内凸柱の外の隙間に差し込んで引っ張り車輪は固定孔で固定することを特徴とする請求項１記載のオフィス設備の伝動機構。
【請求項５】
前記基台は、そこに凸盤を凸設、凸盤の中央は凸塊が伸び、凸塊は基部及び基部の幅より小さい滑動部を含み、滑動部には固定孔を設置し、滑動部は滑動槽内に嵌合することを特徴とする請求項４記載のオフィス設備の伝動機構。
【考案の詳細な説明】
【技術分野】
【０００１】
本考案は、伝動機構に関するもので、特にオフィス設備の伝動機構に係わる。
【背景技術】
【０００２】
図１に示すのは、公知のスキャナー装置に設置するオフィス設備の伝動機構である。それはスキャナー装置の基台上に設置し、主に駆動装置２０′、伝動ユニット３０′及び張力遊び車ユニット４０′を含む。そのうち、張力遊び車ユニット４０′は、遊び車４１′、スラストバネ４２′及び遊び車装置板４３′を含む。基台上には二凸塊１１′を凸設、遊び車装置板４３′の上下両端にはそれぞれ上滑動槽４３１′と下滑動槽４３２′を設置し、上滑動槽４３１′と下滑動槽４３２′は凸塊１１′上に嵌合する。遊び車装置板４３′の中部には凸柱を設置し、凸柱上には設置孔を穿設する。遊び車４１′はネジ釘４４′で設置孔上に固定する。スラストバネ４２′の一端は遊び車装置板４３′の下端に掛合し、別一端は基台下端を掛合する。伝動ユニット３０′は追動車輪３１′、主動車輪３３′及び追動車輪３１′と主動車輪３３′上に掛けるベルト３２′を含む。
【０００３】
作業時、駆動装置２０′は主動車輪３３′を回転させ、遊び車装置板４３′はスラストバネ４２′の弾力によって伝動ユニット３０′の方向へ移動し、遊び車４１′はベルト３２′の外側で押さえてベルト３２′を引っ張り、ベルト３２′の別一端の追動車輪３１′を回転させ、駆動装置２０′のトーションを伝動する。
【考案の概要】
【考案が解決しようとする課題】
【０００４】
解決しようとする問題点は、公知オフィス設備の伝動機構の張力遊び車ユニット４０′は遊び車４１′、スラストバネ４２′及び遊び車装置板４３′を含むため、空間に占める割合が大きく、組織が複雑で製造コストが高い点である。
【課題を解決するための手段】
【０００５】
本考案は、凸塊を設置した基台、基台上に設置した駆動装置、伝動ユニット及び引っ張り車輪を含む。伝動ユニットは、追動車輪、駆動装置上に設置した主動車輪及び追動車輪と主動車輪上にかけるベルトを含む。引っ張り車輪は外輪、内輪、スラストバネを含む。内輪上に滑動槽を設置し、凸塊は滑動槽内に嵌合する。スラストバネは滑動槽内に設置してその一端は滑動槽の槽壁で押さえ、別一端は凸塊で押さえる。内輪は凸塊に相対して滑動し、外輪は内輪上に設置し内輪に相対して回転する。作業時、内輪はスラストバネの弾力で伝動ユニットの方向に移動し、外輪はベルト上で押さえ、内輪に相対して回転してベルトを引っ張り、追動車輪を回転させることを最も主要な特徴とする。  
【考案の効果】
【０００６】
本考案のオフィス設備の伝動機構は、場所を取らず、組立が簡単で且つコストが低いという利点がある。
【図面の簡単な説明】
【０００７】
【図１】公知のオフィス設備の伝動機構を基台の側面板上に設置した立体図である。
【図２】本考案オフィス設備伝動機構の一実施例の立体図である。
【図３】図２に示すオフィス設備の伝動機構の立体分解図である。
【考案を実施するための形態】
【０００８】
公知の技術の不足に対して、空間を節約し、組立が簡単でコストが低いオフィス設備の伝動機構を提供することを本考案の目的とする。
【０００９】
上述の目的は、本考案のオフィス設備の伝動機構で、凸塊を設置する基台、基台上に設置する駆動装置、伝動ユニット及び引っ張り車輪を含む。該伝動ユニットは追動車輪、主動車輪及び追動車輪と主動車輪にかけるベルトを含み、主動車輪は駆動装置に設置する。該引っ張り車輪はベルトで押さえる外輪、外輪内に嵌合する内輪及びスラストバネを含む。内輪には滑動槽を設置し、凸塊は滑動槽内に設置する。スラストバネは滑動槽内荷設置し、その一端は滑動槽の槽壁で押さえ、別一端は凸塊で押さえる。内輪は凸塊に相対して滑動し、外輪は凸塊に嵌合し、内輪に相対して回転する。
【００１０】
上述のとおり、本考案のオフィス設備の伝動機構は、作業時、内輪がスラストバネのバネの力で伝動ユニットの方向に移動し、外輪をベルト上で押さえ、内輪に相対して回転し、ベルトを引っ張り追動車輪を回転させる。そのため、本考案のオフィス設備の伝動機構は場所を取らずに組立が簡単で且つコストが低い。
【実施例】
【００１１】
本考案の技術内容、構造、特徴及びその達成目的と効果を詳細に説明するため、以下に実施例を挙げ、図と共に説明する。
【００１２】
図２及び図３に示すとおり、本実施例は一種のオフィス設備の伝動機構であり、主に基台、駆動装置２０、伝動ユニット３０及び引っ張り車輪４０を含む。
【００１３】
図３に示すとおり、基台の一側面壁１０には凸盤１１を設置し、凸盤１１の中心には外向きにブロック形状の凸塊１２が成形され、凸塊１２は基部１２１及び基部１２１の幅より小さい滑動部１２２を含む。滑動部１２２には固定孔１５が設置される。側面壁１０には更に枢設軸１３及び円形の開孔１４が設置される。
【００１４】
駆動装置２０は、モーター２１を含み、モーター２１は基台の側面壁１０の内側に固定し、モーター２１には回転軸２２を設置する。回転軸２２には回転バネ２３を嵌合し、回転バネ２３の一端はモーター２１上で押さえ、別一端は側面壁１０の内側で押さえる。回転軸２２は開孔１４に差し込んで側面壁１０外側から露出させる。
【００１５】
伝動ユニット３０は、追動車輪３１、主動車輪３３及び追動車輪３１と主動車輪３３上にかけるベルト３２を含む。主動車輪３３は、モーター２１の回転軸２２上に嵌合し、主動車輪３３はモーター２１の駆動によって回転し、追動車輪３１は基台の枢設軸１３上に嵌合する。
【００１６】
図２及び図３に示すとおり、引っ張り車輪４０は、外輪４１２、外輪４１２内に嵌合する内輪４１１及びスラストバネ４２を含む。外輪４１２環状柱のスリーブ４１２１、スリーブ４１２１の一端に内向きに円環上に伸びる筒縁４１２２、スリーブ４１２１外側に外向きに伸びる円環状の持ち手４１２３を備える。内輪４１１は円柱状の主体部４１１１を備え、主体部４１１１は直径方向に沿って貫通した滑動槽４１１２を成形し、滑動槽４１１２の一端の槽壁には滑動槽４１１２方向に向かって凸柱４１１３が凸設される。主体部４１１１の一端は外向きに円環状の停止部４１１４を形成する。
【００１７】
スラストバネ４２は、滑動槽４１１２内に設置して凸柱４１１３に嵌め、スラストバネ４２の一端は滑動槽４１１２の槽壁で押さえ、別一端は凸塊１２で押さえる。内輪４１１の主体部４１１１は外輪４１２のスリーブ４１２１内で嵌合する。固定部品４３は滑動槽４１１２内の凸柱４１１３の外側隙間に差し込んで側面壁１０の固定孔１５内に固定する。引っ張り車輪４０は基台上で組み立てる。滑動部１２２は滑動槽４１１２内に嵌合し、内輪４１１を滑動槽４１１２に沿って滑動させる。外輪４１２のスリーブ４１２１に内輪４１１の主体部４１１１を嵌合することによって、引っ張り車輪４０を凸塊１２で相対して滑動させ、且つ外輪４１２は内輪４１１に相対させて回転させる。引っ張り車輪４０はベルト３２を押さえた時、ベルト３２は持ち手４１２３と停止部４１１４の間に位置する。
【００１８】
作業時、モーター２１が主動車輪３３を回転させ、主動車輪３３にかけたベルト３２が共に回転して外向きに引っ張り、更に上向きに引っ張り車輪４０を押さえる。スラストバネ４２は圧縮され、伝動ユニット３０の方向に弾力で押し、引っ張り車輪４０は伝動ユニット３０の方向に移動し、外輪４１２のスリーブ４１２１をベルト３２外側で押さえる。引っ張り車輪４０の外輪４１２はスリーブ４１２１とベルト３２の摩擦力で回転する。そしてベルト３２を引っ張り、ベルト３２の別一端にかけた追動車輪３１を回転させる。スラストバネ４２は、ベルト３２の締まり具合によって随時圧縮の程度を調整し、ベルト３２を緊張状態に保ち、モーター２１のトーションを伝送する。
【００１９】
上述のとおり、本考案のオフィス設備の伝動機構は、引っ張り車輪４０の内輪４１１によって基台の凸塊１２の滑動部１２２上に可動設置し、外輪４１２は内輪上に嵌合し、引っ張り車輪４０を凸塊１２に相対させて滑動させ、且つ外輪４１２は内輪４１１に相対して回転させる。引っ張り車輪４０はスラストバネ４２の弾力によって外輪４１２をベルト３２の外側で押さえ、且つ外輪４１２はスリーブ４１２１とベルト３２の摩擦力によって回転し、ベルト３２を引っ張り、ベルト３２の別一端の追動車輪を回転させ、更にモーター２１のトーションは追動車輪に伝動される。依って、本考案のオフィス設備の伝動機構は空間を取らずに、組立が簡単で、コストを抑える。
【符号の説明】
【００２０】
[公知]
１１′      凸塊
２０′      駆動装置
３０′      伝動ユニット
３１′      追動車輪
３２′      ベルト
３３′      主動車輪
４０′      張力遊び車ユニット
４１′      遊び車
４２′      スラストバネ
４３′      遊び車装置板
４３１′      上滑動槽
４３２′      下滑動槽
[本考案]
１０        側面壁
１１        凸盤
１２        凸塊
１２１        基部
１２２        滑動部
１３        枢設軸
１４        開孔
１５        固定孔
２０        駆動装置
２１        モーター
２２        回転軸
２３        回転バネ
３０        伝動ユニット
３１        追動車輪
３２        ベルト
３３        主動車輪
４０        引っ張り車輪
４１１        内輪
４１１１        主体部
４１１２        滑動槽
４１１３        凸柱
４１１４        停止部
４１２        外輪
４１２１        スリーブ
４１２２        筒縁
４１２３        持ち手
４２        スラストバネ
４３        固定部品
【図１】
0003151917.tif 000003
【図２】
0003151917.tif 000004
【図３】
0003151917.tif 000005